(57)【特許請求の範囲】
【請求項１】
複数個のディスク保管部を備え、各ディスク保管部が、各ディスク保管部に対応付けられたディスク番号により指定する１個のディスクを保管し、各ディスク保管部に保管する各ディスクには複数の種類が存在し、各ディスクには、再生指示のためにランダムアクセスできる最小単位としての再生用指定単位を有し、各ディスクにおける再生用指定単位の指定方式は、ディスクの種類ごとに異なっており、各ディスク保管部に保管されている各ディスクの再生用指定単位にランダムアクセスして、その再生用指定単位を再生可能となっており、ユーザが所定のディスクにおける所定の再生用指定単位を指定する場合には、ユーザに、ディスク番号の入力欄を含むデータ入力画面を表示して、該データ入力画面にデータを入力させるディスク再生装置において、
前記データ入力画面のディスク番号の入力欄に入力されたディスク番号から、そのディスク番号のディスクの種類を判別し、
判別した種類のディスクの再生用指定単位を指定するためにデータ入力の必要な各入力項目について、ディスクの種類に対応する入力順番で前記データ入力画面においてユーザへデータ入力要求の表示を行い、
判別した種類のディスクの再生用指定単位を指定するためにデータ入力の必要な入力項目について、ディスクの種類に対応する入力項目順番でユーザにデータを入力させるようになっていることを特徴とするディスク再生装置。
【請求項２】
ディスクの種類に対応する入力項目順番は、ディスクの種類別に決められていて各ディスクに再生用指定単位を格納している階層構造に関係するものであることを特徴とする請求項１記載のディスク再生装置。
【請求項３】
前記入力項目順番においてユーザに入力を要求する入力項目名は、ディスクの各階層構造における項目名とされていることを特徴とする請求項１又は２記載のディスク再生装置。
【請求項４】
ディスクの種類が不明である場合には、階層構造の階層数が最大となっているディスクの階層構造に対応する入力項目順番で、ユーザにデータを入力させるようになっており、また、ユーザの指示により入力項目を適宜、スキップできるようになっていることを特徴とする請求項２又は３記載のディスク再生装置。
【請求項５】
各ディスクにおける階層構造は、該ディスクからの該ディスクの管理情報の最初の読み取りに伴い該管理情報から検知され、記憶されるようになっていることを特徴とする請求項２〜４のいずれかに記載のディスク再生装置。
【請求項６】
各ディスクにおける階層構造の記憶は、該ディスクが、それを保管しているディスク保管部と共に外部に露出状態になるとき、消去されるようになっていることを特徴とする請求項５記載のディスク再生装置。
【請求項７】
ユーザが所定のディスクにおける所定の再生用指定単位を指定する場合には、ユーザがプログラム再生の登録用の再生用指定単位を指定する場合を含むことを特徴とする請求項１〜５のいずれかに記載のディスク再生装置。
【発明の詳細な説明】
【０００１】
【発明の属する技術分野】
本発明は、カローセルプレーヤ等、ＣＤ及びＤＶＤ等の複数個のディスクを各ディスク保管部に保管して、保管中の任意のディスクの任意のトラック等へランダムアクセスできるディスク再生装置に関するものである。
【０００２】
【従来の技術】
一般的なカローセルプレーヤは、トレイが、水平方向へ変位して、プレーヤ本体の筐体から引出し及び筐体内へ格納自在になっており、回転テーブルが、鉛直線の周りに回転自在にトレイに取り付けられ、例えば５枚の複数枚のディスクが、回転テーブルの回転軸線の周りに等角度間隔に載置される。そして、回転テーブルの各ディスク載置部には、回転テーブルの放射方向へ開口する所定寸法のＵ字状切欠きが形成され、各載置位置のディスクは、Ｕ字状切欠きにより下面の所定部分を回転テーブルの下方へ露出している。トラーバースは、上下方向へ移動自在であり、上側位置では、上昇して、Ｕ字状切欠きを通過して、ディスクの露出面の一部を圧着し、該ディスクを再生するようになっている。カローセルプレーヤでは、ＣＤ及びＤＶＤ−Ａｕｄｉｏ（デジタル・ビデオ・ディスク−オーディオ）を含む複数個のディスクを保管し、保管中の任意のディスクの任意のトラックへランダムアクセスして、該トラックを再生できるようになっている。ＤＶＤ−Ａｕｄｉｏは、トラックのストアのための階層構造が２層となっており、すなわち、上側のグループと言う階層と、下側のトラックと言う階層とがあり、グループが異なると、同一のトラックが存在し得るようになっているので、ユーザは、例えば、プログラム再生のためのトラックを指定する場合、グループ番号を指定してから、トラックを指定するようになっている。
【０００３】
【発明が解決しようとする課題】
従来のカローセルプレーヤでは、ユーザは、例えばプログラム再生に登録するトラックを指定する際に、ＤＶＤ−Ａｕｄｉｏではなく、ＣＤのトラックを指定するときも、ＤＶＤ−Ａｕｄｉｏのときと同様に、グループ番号の入力欄が現れ、不慣れなユーザに混乱を起こさせている。
【０００４】
本発明の目的は、上述の問題点を克服できるディスク再生装置を提供することである。
【０００５】
【課題を解決するための手段】
第１の発明のディスク再生装置によれば、複数個のディスク保管部を備え、各ディスク保管部が、各ディスク保管部に対応のディスク番号により指定する１個のディスクを保管し、各ディスク保管部に保管する各ディスクには複数の種類が存在し、各ディスクには、再生指示のためにランダムアクセスできる最小単位としての再生用指定単位を有し、各ディスクにおける再生用指定単位の指定方式は、ディスクの種類ごとに異なっており、各ディスク保管部に保管されている各ディスクの再生用指定単位にランダムアクセスして、その再生用指定単位を再生可能となっている。このディスク再生装置において、ユーザが所定のディスクにおける所定の再生用指定単位を指定する場合には、ユーザの指定したディスク番号から、そのディスク番号のディスクの種類を判別し、ディスクの種類に対応する入力項目順番でユーザにデータを入力させるようになっている。
【０００６】
ディスク再生装置には少なくともカローセルプレーヤが含まれる。ディスクの種類には、ＣＤ、ＤＶＤ−Ａｕｄｉｏ、ＤＶＤ−Ｖｉｄｅｏ（デジタル・ビデオ・ディスク−ビデオ）、及びそれらと等径の他の光ディスクを含むものとする。再生用指定単位とは、ＣＤ及びＤＶＤ−Ａｕｄｉｏではトラック（Ｔｒａｃｋ）のことであり、ＤＶＤ−Ｖｉｄｅｏではチャプター（Ｃｈａｐｔｅｒ：章）のことである。ユーザが所定のディスクにおける所定の再生用指定単位を指定する場合には、ユーザがプログラム再生の登録用の再生用指定単位を指定する場合だけでなく、ランダムアクセスするトラックを指定する場合等、他の場合も含むものとする。ユーザによる再生用指定単位の指定は、通常は、画面の視覚表示の案内により行われる。ディスクの種類に対応する入力項目順番とは、例えば、ディスク再生装置に装備されるディスクの種類にＣＤとＤＶＤ−Ａｕｄｉｏとの二種しかない場合に、（ａ）ユーザへの入力要求画面には、ディスク番号と、グループ番号と、トラック番号との計３個の入力部を常時、表示しておき、ディスクがＣＤのときには、ユーザがディスク番号を入力すると、入力可能個所を示すカーソルがトラック番号入力部へ移行したり、入力項目名である「トラック」がハイライト状態とされたりし、また、ディスクがＤＶＤ−Ａｕｄｉｏであるときには、ユーザがディスク番号を入力すると、入力可能個所を示すカーソルがグループ番号入力部へ移行したり、入力項目名として表示中の「グループ」がハイライト状態とされたりし、グループ番号入力が済むと、カーソルがトラック番号入力部へ移行したり、入力項目名として表示中の「トラック」がハイライト状態とされたりするようになっていてもよい。さらには、例えば、（ｂ）ディスクがＣＤのときには、ユーザがディスク番号を入力した後の入力要求画面には、グループ番号入力部が表示されず、トラック番号入力部のみが表示され、また、ディスクがＤＶＤ−Ａｕｄｉｏであるときには、ユーザがディスク番号を入力した後の入力画面はグループ番号入力部とトラック番号入力部とが表示されたりする。ユーザが、再生用指定単位を指定する際に、入力するデータは、通常は、グループ番号とかトラック番号の数値であるが、数値に限定されず、ディスクの種類によっては文字等の場合もあり得るとする。
【０００７】
例えば、ユーザの指定したディスク番号に対応するディスクがＣＤのときは、ユーザは、次に、グループ番号等の入力を要求されることなく、直ちにディスク番号の次にトラック番号の入力を要求される。こうして、ユーザは、ディスクの種類に応じた入力項目順番で入力を要求されることになり、すなわち、指定したディスク番号のディスクの種類とは別の種類のディスクに係る入力項目は要求されることはないので、ユーザは、再生用指定単位を円滑かつ能率的に指定することができる。
【０００８】
第２の発明のディスク再生装置によれば、第１の発明のディスク再生装置において、ディスクの種類に対応する入力項目順番は、ディスクの種類別に決められていて各ディスクに再生用指定単位を格納している階層構造に関係するものである。
【０００９】
ディスクの階層構造は、ディスクがＣＤである場合は、１階層であり、ディスクがＤＶＤ−ＡｕｄｉｏやＤＶＤ−Ｖｉｄｅｏである場合は、２階層となる。
【００１０】
トラック等の再生用指定単位の指定は、上位の階層から下位の階層の方へ各階層の項目を順番に選択していき、最後に、最下層の再生用指定単位へ行き着いて、そこで終了するようになっている。したがって、ディスクの種類に対応する入力項目順番を、ディスクの種類別に決められていて各ディスクに再生用指定単位を格納している階層構造に関係するものとし、すなわち例えばＣＤでは１階層としてすぐにトラック番号の入力が要求され、ＤＶＤ−Ａｕｄｉｏでは２階層としてグループ番号及びトラック番号の入力が順番に要求され、これにより、ユーザによる再生用指定単位の指定を円滑に実施できる。
【００１１】
第３の発明のディスク再生装置によれば、第１又は第２の発明のディスク再生装置において、入力項目順番においてユーザに入力を要求する入力項目名は、ディスクの各階層構造における項目名とされている。
【００１２】
ディスクの各階層構造における項目名は、例えば、ＤＶＤ−Ａｕｄｉｏでは、上位階層の項目名から順番にグループ及びトラックであり、ＤＶＤ−Ｖｉｄｅｏでは、上位階層の項目名から順番にタイトル（Ｔｉｔｌｅ：題目）及びチャプター（Ｃｈａｐｔｅｒ：章）である。
【００１３】
トラック等の再生用指定単位の指定は、上位の階層から下位の階層の方へ各階層の項目を順番に選択していき、最後に、最下層の再生用指定単位へ行き着いて、そこで終了するようになっている。したがって、入力項目順番においてユーザに入力を要求する入力項目名は、ディスクの各階層構造における項目名とされることにより、ユーザは、ディスクの種類を明確に把握して、各入力項目名のデータを円滑に指定できる。
【００１４】
第４の発明のディスク再生装置によれば、第２又は第３の発明のディスク再生装置において、ディスクの種類が不明である場合には、階層構造の階層数が最大となっているディスクの階層構造に対応する入力項目順番で、ユーザにデータを入力させるようになっており、また、ユーザの指示により入力項目を適宜、スキップできるようになっている。
【００１５】
ディスクの種類が不明である場合には、入力数の最大のディスク、すなわち階層数の最大のディスクに合わせて、入力をユーザへ要求することにより、入力漏れを回避できる。また、ユーザが、ディスク再生装置に教えられなくても、ディスクの種類を認知しているときには、入力不要な入力項目はスキップすればよいので、再生用指定単位を速やかに指定することができる。
【００１６】
第５の発明のディスク再生装置によれば、第２〜第４のいずれかの発明のディスク再生装置において、各ディスクにおける階層構造は、該ディスクからの該ディスクの管理情報の最初の読み取りに伴い該管理情報から検知され、記憶されるようになっている。
【００１７】
ディスクは、そのディスクにおける再生用指定単位の再生に先立って、管理情報（ＣＤでは、該管理情報は「ＴＯＣ」と呼ばれている。）を１回、読み込まれ、その管理情報は、そのディスクが排出されるまで、記憶され、各再生時に利用される。管理情報からディスクの階層構造及び／又は各階層項目の呼び名も判明するので、ディスクの管理情報の最初の読み取りに伴い該管理情報から検知して、記憶することにし、以降は、再生用指定単位の指定の都度、その記憶しておいた階層構造に基づいて入力項目順番や入力項目名を能率的に検出することができる。
【００１８】
第６の発明のディスク再生装置によれば、第５の発明のディスク再生装置において、各ディスクにおける階層構造の記憶は、該ディスクが、それを保管しているディスク保管部と共に外部に露出状態になるとき、消去されるようになっている。
【００１９】
ユーザが各ディスク番号のディスクを交換するときは、通常、そのディスクを保管しているディスク保管部が外部へ露出される。したがって、その露出時に、該ディスクについて記憶している階層構造を一旦消去すれば、ディスクの種類の誤りに起因する入力項目順番や入力項目名の誤りを防止できる。
【００２０】
第７の発明のディスク再生装置によれば、第１〜第５のいずれかの発明のディスク再生装置において、ユーザが所定のディスクにおける所定の再生用指定単位を指定する場合には、ユーザがプログラム再生の登録用の再生用指定単位を指定する場合を含む。
【００２１】
【発明の実施の形態】
以下、発明の実施の形態について図面を参照して説明する。
図１はカローセルプレーヤの表示部１０におけるプログラム予約画面の第１の例を示している。なお、発明の実施の形態で説明するカローセルプレーヤは、ＣＤ及びＤＶＤの２種類のディスクを再生可能とする。また、このカローセルプレーヤは、トレイが、水平方向へ変位して、プレーヤ本体の筐体から引出し及び筐体内へ格納自在になっており、回転テーブルが、鉛直線の周りに回転自在にトレイに取り付けられ、例えば５枚の複数枚のディスクが、回転テーブルの回転軸線の周りに等角度間隔に載置される。そして、回転テーブルのディスク保管部としての各ディスク載置部には、回転テーブルの放射方向へ開口する所定寸法のＵ字状切欠きが形成され、各載置部のディスクは、Ｕ字状切欠きにより下面の所定部分を回転テーブルの下方へ露出している。トラーバースは、上下方向へ移動自在であり、上側位置では、上昇して、Ｕ字状切欠きを通過して、ディスクの露出面の一部を圧着し、該ディスクを再生するようになっている。表示部１０は通常はカローセルプレーヤ本体に装備されている。図１において、ＰＧＭ１は、プログラム再生時に再生順の１番目に再生されるトラックを予約しているときの表示画面であることを意味しており、１個のトラックを登録するごとに、表示部１０の表示は、順番にＰＧＭ２，ＰＧＭ３，・・・と変更されていく。表示部１０には、再生順番の他に、Ｄｉｓｃ（ディスク）、Ｇｒｏｕｐ（グループ）、Ｔｒａｃｋ（トラック）の文字が、その順番に横一列に表示され、各文字表示の下には、ディスク番号、グループ番号、及びトラック番号の入力欄が配置される。ユーザは、手元のリモコンのテンキーから数字を入力するようになっている。各時点でユーザに入力を要求されている欄はハイライト１１でユーザに知らされる。図１は、ユーザがディスク番号として”１”を入力し、ディスク番号＝１のディスクがＤＶＤ−Ａｕｄｉｏである場合の表示を例示している。したがって、グループ番号入力欄にハイライト１１が表示されている。ユーザが入力したディスク番号のディスクがＤＶＤ−Ａｕｄｉｏである場合は、ユーザがグループ番号を入力した後は、トラック番号入力欄にハイライト１１が表示され、ユーザは次にトラック番号の入力を要求される。これに対して、ユーザがディスク番号入力欄に入力したディスク番号のディスクがＣＤであるときは、ディスク番号の次のハイライト１１は、グループ番号入力欄をスキップして、トラック番号入力欄に表示され、ユーザはただちにトラック番号入力欄にトラック番号を入力することになる。
【００２２】
なお、各ディスク番号のディスクの種類が何かは、該ディスクを回転テーブルの載置部に載置する時にユーザに手操作によりディスク種別を入力させて、この入力値を記憶しておくようにしてもよいし、また、特開平１０−３３４５７４号公報及び特開平１１−２３２７６８号公報に開示される技術を使って、判別してもよい。
【００２３】
図２はカローセルプレーヤの表示部１０におけるプログラム予約画面の第２の例を示している。図１のプログラム予約画面において、ディスク番号欄に入力したディスク番号のディスクがＣＤである場合、図１についての前述の説明では、ハイライト１１が、グループ番号入力欄をスキップして、トラック番号入力欄に移行し、ユーザはトラック番号入力欄へのトラック番号の入力を要求される旨、説明したが、図２の例では、ディスク番号欄に入力したディスク番号のディスクがＣＤである場合に限り、図２に示されるように、グループ番号入力欄が消失されて、ディスク番号入力欄及びトラック番号入力欄とその上側の入力名のみが残り、トラック番号入力欄にハイライト１１が表示されるようになっている。図２のプログラム予約画面の場合には、ユーザは、自分の選択したディスク番号のディスクがＣＤであったことを明確に認識できる。
【００２４】
図３はユーザの指定したディスク番号のディスクがＤＶＤ−Ｖｉｄｅｏであったときの表示部１０におけるプログラム予約画面を例示している。ディスク番号を入力するときは、図１のプログラム予約画面が表示され、ディスク番号入力欄にハイライト１１が表示される。ユーザがディスク番号入力欄にディスク番号を入力し、そのディスク番号のディスクがＤＶＤ−Ａｕｄｉｏである場合には、図１のプログラム予約画面がそのまま存続して、グループ番号入力欄にハイライト１１が表示され、また、ディスクがＣＤである場合には、図２のプログラム予約画面が表示されて、トラック番号入力欄にハイライト１１が表示され、また、ディスクがＤＶＤ−Ｖｉｄｅｏである場合には、図３のプログラム予約画面が表示される。図３では、Ｄｉｓｃ（ディスク）の他に、ＤＶＤ−Ｖｉｄｅｏにおける再生用指定単位としての章の指定方式に応じて、Ｔｉｔｌｅ（タイトル：題名）、Ｃｈａｐｔｅｒ（チャプター：章）の文字が、その順番に横一列に表示され、各文字表示の下には、ディスク番号、タイトル番号、及びチャプター番号の各入力欄が表示される。そして、現在、ユーザへ入力が要求されている欄にはハイライト１１が表示される。ＤＶＤ−ＶｉｄｅｏとＤＶＤ−Ａｕｄｉｏとは共に階層構造が２層であるので、ユーザの選択したディスク番号のディスクがＤＶＤ−Ｖｉｄｅｏであっても、図１のプログラム予約画面を使用することにしてもよいが、ＤＶＤ−Ｖｉｄｅｏでは、階層における項目の呼び名が、ＤＶＤ−Ａｕｄｉｏのものと相違しているので、図３のプログラム予約画面を使用することにして、ユーザには、自分の指定したディスク番号のディスクがＤＶＤ−Ｖｉｄｅｏであったことを明確に認識させ、また、ＤＶＤ−Ｖｉｄｅｏにおけるチャプターを選択することを分かり易くさせることができる。
【００２５】
図４は各ディスク番号の載置部に載置されているディスクの階層構造を記憶するプログラムのフローチャートである。Ｓ２０において、ディスクの階層構造が判明したか否かを判定し、該判定がＹＥＳであれば、Ｓ２１へ進んで、判明した階層構造を、ディスク番号に対応付けてメモリに記憶し、該判定がＮＯであるならば、該プログラムを終了する。ディスクの階層構造は、例えば、該ディスクが載置部に載置された後、該ディスクの或るトラックが最初に再生されるときに、該ディスクの管理情報が読み出されるが、この管理情報から検出できる。
【００２６】
図５は図４のプログラムでメモリに記憶した階層構造を消去するプログラムのフローチャートである。Ｓ２４では、ディスクの交換の可能性があるか否かを判定し、該判定がＹＥＳであれば、Ｓ２５へ進み、該ディスクのディスク番号を検出し、ディスク番号に対応付けられてメモリに保存されている階層構造を消去し、該判定がＮＯであるならば、該プログラムを終了する。ディスクの交換の可能性がある場合とは、例えば、ディスクを保管しているトレイがカローセルプレーヤから突出して、該ディスクがトレイと共に露出し、該ディスクを交換可能になった場合である。この場合、ユーザは、通常は、ディスクを別のもの交換するが、トレイは突出させるものの、交換しないこともあるので、ディスクの交換の可能性がある場合と、実際には交換しない場合も含む表現を使用した。
【００２７】
図６はプログラム予約のためのプログラムのフローチャートである。Ｓ２８では、プログラム予約モードであるか否かを判定し、該判定がＹＥＳであるならば、Ｓ３０へ進み、該判定がＮＯであるならば、該プログラムを終了する。Ｓ３０では、ユーザよりディスク番号の入力があったか否かを判定し、入力がありしだい、Ｓ３２へ進む。Ｓ３２では、Ｓ３０で入力のあったディスク番号に係るディスク（以下、このディスクを「ディスクＸ」と言う。）の階層構造が判明済みであるか否か、すなわちディスクＸの階層構造がメモリに記憶されているか否かを判定し、該判定がＹＥＳであれば、Ｓ３４へ進み、ＮＯであれば、Ｓ３８へ進む。Ｓ３４では、ディスクＸがＤＶＤ−Ａｕｄｉｏであるか否かを判定し、該判定がＹＥＳ、すなわちディスクＸがＤＶＤ−Ａｕｄｉｏであれば、Ｓ３６へ進み、該判定がＮＯ、すなわちディスクＸがＣＤであれば、Ｓ４２へ進む。Ｓ３６では、グループ番号の入力があったか否かを判定し、入力のありしだい、Ｓ４２へ進む。Ｓ３８では、グループ番号の入力があったか否かを判定し、該判定がＹＥＳであれば、Ｓ４２へ進み、該判定がＮＯであれば、Ｓ４０へ進む。Ｓ４０では、グループ番号の入力の省略指示があったか否かを判定し、該判定がＹＥＳであれば、Ｓ４２へ進み、ＮＯであれば、Ｓ３８へ戻る。Ｓ４２では、ユーザよりトラック番号の入力のありしだい、該プログラムを終了する。こうして、ディスクの階層構造がすでに判明している場合は、その階層構造に関係した入力項目順で入力案内がなされ、かつユーザにより対応の入力がなされ、また、ディスクの階層構造がまだ判明していない場合は、階層数の最大の種類のディスクの階層数に対応する入力項目順で入力案内がなされ、また、ユーザは不要な入力項目を適宜、スキップすることができる。
【図面の簡単な説明】
【図１】カローセルプレーヤの表示部におけるプログラム予約画面の第１の例を示す図である。
【図２】カローセルプレーヤの表示部におけるプログラム予約画面の第２の例を示す図である。
【図３】ユーザの指定したディスク番号のディスクがＤＶＤ−Ｖｉｄｅｏであったときの表示部におけるプログラム予約画面を例示する図である。
【図４】各ディスク番号の載置部に載置されているディスクの階層構造を記憶するプログラムのフローチャートである。
【図５】図４のプログラムでメモリに記憶した階層構造を消去するプログラムのフローチャートである。
【図６】プログラム予約のためのプログラムのフローチャートである。
【符号の説明】
１０    表示部
１１    ハイライト
【図１】
0003682215.tif 000002
【図２】
0003682215.tif 000003
【図３】
0003682215.tif 000004
【図４】
0003682215.tif 000005
【図５】
0003682215.tif 000006
【図６】
0003682215.tif 000007